(57)【要約】【課題】比較的小形の消毒液タンクを用いて連続散布作業時間を長くすることができ、また、単位散布時間当たりの空気抜き作業回数を低減することができる土壌消毒装置を提供する。【解決手段】消毒液が収容されている第１及び第２の消毒液タンク２，２ａと、該消毒液タンク２，２ａ内の消毒液を吸込んで吐出するポンプ５と、該ポンプ５が吐出する消毒液を散布する散布部７と、一端がポンプ５の吸込口に接続され、他端が第１の消毒液タンク２内の下部に開口すべき第１吸込管４と、一端が第１の消毒液タンク２内の上部に開口すべき第２吸込管１４とを備え、ポンプ５の駆動により第１の消毒液タンク２内を負圧とし、第２の消毒液タンク２ａ内の消毒液を第１の消毒液タンク２内に流入させるように構成した。【選択図】図２
2007306855.tif 000002
【特許請求の範囲】
【請求項１】
消毒液が収容されている消毒液タンクと、該消毒液タンク内の消毒液を吸込んで吐出するポンプと、該ポンプが吐出する消毒液を散布する散布部とを備える土壌消毒装置において、一端が前記ポンプの吸込口に接続され、他端が前記消毒液タンク内の下部に開口すべき第１吸込管と、一端が消毒液タンク内の上部に開口すべき第２吸込管とを備えることを特徴とする土壌消毒装置。
【請求項２】
前記消毒液タンクは上部に入出口を有しており、該入出口に嵌着され、且つ二つの貫通孔を有す管保持具を備える請求項１記載の土壌消毒装置。
【発明の詳細な説明】
【技術分野】
【０００１】
本発明は消毒液タンク内の消毒液をポンプが圧送し、散布部から土壌に散布することにより、土壌を消毒する土壌消毒装置に関する。
【背景技術】
【０００２】
圃場等の土壌を消毒し、土壌中の病原菌、害虫を駆除する土壌消毒装置は、土壌中に消毒液を間歇的に注入する点注タイプと、土壌中に消毒液を連続的に注入する連続注入タイプと、土壌表面に消毒液を散布した後混和ロータリにより消毒液を土壌に混和する混和タイプとが知られている。
【０００３】
点注タイプの土壌消毒装置として、消毒液が収容されている複数の消毒液タンクと、該消毒液タンクの夫々に接続された液流出確認計と、該液流出確認計の夫々に吸込口が接続された二つのポンプと、該ポンプの吐出路に接続された複数の液注入爪とが牽引台車に搭載され、トラクタが牽引台車を牽引する構成になっており、土壌消毒作業時には、消毒液タンクの夫々に接続されている液流出確認計を目視して消毒液タンク内の消毒液が流出しているのを確認することにより消毒液タンク内に消毒液が残っているか否かの確認を行うことができるようになっている（例えば、特許文献１参照）。
【０００４】
また、連続注入タイプの土壌消毒装置は、前記消毒液タンク及びポンプの他、その先端部が土壌中に突き刺さるガイド爪と、該ガイド爪に沿って配置されるノズルとを備える。
また、混和タイプの土壌消毒装置は、前記消毒液タンク及びポンプの他、消毒液を土壌表面に散布するノズル及び混和ロータリを備える。
【０００５】
また、土壌消毒液は水で希釈して散布する希釈タイプと、希釈することなく原液を散布する原液タイプとが知られている。原液タイプの土壌消毒液は比較的小形の液タンクに収容されている。
【０００６】
また、予備の消毒液タンクを搭載し、ポンプに接続されている消毒液タンク内の消毒液の残量が減少したとき、予備の消毒液タンクと交換して土壌消毒作業を継続することができるように構成された土壌消毒装置も知られている。
【特許文献１】特開２００１−１６１２４７号公報
【発明の開示】
【発明が解決しようとする課題】
【０００７】
ところが、従来の土壌消毒装置は特許文献１に記載されているように一つの消毒液タンクに対応してポンプが設けられているため、連続消毒作業時間を長くするには比較的大形の消毒液タンクを搭載する必要があり、消毒液タンクの運搬及び搭載作業性が悪いし、さらに、土壌消毒装置の全体が大形になるという問題がある。
【０００８】
また、この問題点を考慮して比較的小形の消毒液タンクを搭載する構成とした場合は、連続消毒作業時間が短くなり、比較的短時間で消毒液タンクを交換する必要があり、散布作業性が悪いという問題がある。
【０００９】
また、予備の消毒液タンクと交換して消毒作業を継続することができるように構成された土壌消毒装置にあっては、予備の消毒液タンクと交換する時機が分かり難いため、交換が早過ぎたり、遅過ぎたりすることになるし、また、交換時にポンプの吸込口に接続されている吸込管内に外気が入るため、空気抜き作業が余計に必要となり、単位散布時間当たりの空気抜き作業回数が多く、消毒作業性が悪いという問題があった。
【００１０】
本発明は上述のような事情に鑑みてなされたものであり、主たる目的は一端がポンプの吸込口に接続され、他端が消毒液タンク内の下部に開口すべき第１吸込管と、一端が消毒液タンク内の上部に開口すべき第２吸込管とを備える構成とすることにより、比較的小形の消毒液タンクを用いて連続散布作業時間を長くすることができ、また、単位散布時間当たりの空気抜き作業回数を低減することができる土壌消毒装置を提供することにある。
【００１１】
また、他の目的は消毒液タンクの上部に開設された入出口に嵌着し、且つ二つの貫通孔を有す管保持具を備える構成とすることにより、市販の消毒液タンクの入出口に取着されている蓋体を取外し、前記入出口に管保持具を嵌着して第１吸込管及び第２吸込管を簡易に取着することができる土壌消毒装置を提供することにある。
【課題を解決するための手段】
【００１２】
第１発明に係る土壌消毒装置は、消毒液が収容されている消毒液タンクと、該消毒液タンク内の消毒液を吸込んで吐出するポンプと、該ポンプが吐出する消毒液を散布する散布部とを備える土壌消毒装置において、一端が前記ポンプの吸込口に接続され、他端が前記消毒液タンク内の下部に開口すべき第１吸込管と、一端が消毒液タンク内の上部に開口すべき第２吸込管とを備えることを特徴とする。
【００１３】
第１発明にあっては、第１吸込管の他端と第２吸込管の一端とが内部に開口する第１の消毒液タンクと、第２吸込管の他端が内部に開口する第２の消毒液タンクとを用いてポンプが駆動されることにより、第１の消毒液タンク内の消毒液が第１吸込管を経てポンプに吸込まれつつ第１の消毒液タンク内の上部が負圧となり、この負圧により、第２の消毒液タンク内の消毒液が第２吸込管を経て第１の消毒液タンク内に流入し、経時に伴い第２の消毒液タンク内の消毒液がなくなり、続いて第１の消毒液タンク内の消毒液が第１吸込管を経てポンプに吸込まれる。従って、第１及び第２の消毒液タンク内の消毒液がなくなるまで連続して土壌消毒を行うことができ、しかも、比較的小形の消毒液タンクにより連続消毒作業時間を長くすることができる。また、連続消毒作業時間中は、無操作及び無制御にできるため、消毒作業性を向上できる。また、消毒液タンクを交換することなく複数の消毒液タンク内の消毒液を散布することができるため、単位散布時間当たりの空気抜き作業回数を低減することができる。
【００１４】
第２発明に係る土壌消毒装置は、前記消毒液タンクは上部に入出口を有しており、該入出口に嵌着され、且つ二つの貫通孔を有す管保持具を備えることを特徴とする。
【００１５】
第２発明にあっては、市販の消毒液タンクの入出口に取着されている蓋体を取外すことにより該入出口に管保持具を嵌着することができ、この管保持具の一方の貫通孔に第１吸込管を挿嵌し、他方の貫通孔に第２吸込管を挿嵌することができる。
【発明の効果】
【００１６】
第１発明によれば、第１吸込管の他端と第２吸込管の一端とが内部に開口する第１の消毒液タンクと、第２吸込管の他端が内部に開口する第２の消毒液タンクとを用いてポンプが駆動されることにより、第１吸込管を経て第１の消毒液タンク内の消毒液がポンプに吸込まれつつ第１の消毒液タンク内の上部が負圧となり、この負圧により、第２吸込管を経て第２の消毒液タンク内の消毒液が第１の消毒液タンク内に流入し、径時に伴い第２の消毒液タンク内の消毒液がなくなり、続いて第１の消毒液タンク内の消毒液がポンプに吸込まれる。従って、第１及び第２の消毒液タンク内の消毒液がなくなるまで連続して土壌消毒を行うことができ、しかも、比較的小形の消毒液タンクにより連続散布作業時間を長くすることができる。また、連続散布作業時間中は、無操作及び無制御にできるため、土壌消毒作業性を向上できる。また、消毒液タンクを交換することなく複数の消毒液タンク内の消毒液を散布することができるため、単位時間当たりの空気抜き作業回数を低減することができる。
【００１７】
第２発明によれば、市販の消毒液タンクの入出口に取着されている蓋体を取外すことにより該入出口に管保持具を嵌着することができ、この管保持具の一方の貫通孔に第１吸込管を挿嵌し、他方の貫通孔に第２吸込管を挿嵌することができる。
【発明を実施するための最良の形態】
【００１８】
以下本発明をその実施の形態を示す図面に基づいて詳述する。図１は本発明に係る土壌消毒装置の構成を示す概略正面図、図２は要部の構成を示す簡略図である。
【００１９】
この土壌消毒装置は、運転席１ａを有し、前後左右の車輪１ｂ，１ｃにより支持された機体１と、該機体１の前部に搭載された第１及び第２の消毒液タンク２，２ａと、機体１の後部に装着される支持台３と、該支持台３に搭載され、第１吸込管４を介して第１の消毒液タンク２内の消毒液を吸込むポンプ５と、該ポンプ５の吐出路に送液管６により接続され、圃場等の土壌に消毒液を散布する複数の散布部７（ノズル）とを備える。さらに、支持台３には、散布部７から消毒液が散布された土壌を耕耘して前記消毒液を土壌に混和する混和ロータリ８と、該混和ロータリ８が混和した混和土壌部の高さに支持台３を支持する左右一対のゲージ輪９，９と、該ゲージ輪９，９間の耕耘土壌部を被覆するマルチシートのロール１０と、該ロール１０から引出されたマルチシートの幅方向両側部を押さえる左右一対のシート押え輪１１，１１と、該シート押え輪１１，１１が押さえたマルチシートの両側部に土寄せする左右一対の土寄輪１２，１２とを、この順序で機体１の進行方向前方から順次配設されている。
【００２０】
第１及び第２の消毒液タンク２，２ａは上部の天壁に入出口２ｂ，２ｂを有し、該入出口２ｂ，２ｂを閉塞する蓋体を備える密閉構造の円筒形をなしており、臭化メチル剤の代替剤として開発されたカーバムナトリウム塩からなる土壌消毒液の原液が収容されている。そして、機体１の左右方向両側に配置される。また、ポンプ５の吸込口に接続されるとき、前記蓋体を取外し、入出口２ｂ，２ｂの夫々に管保持具１３，１３が嵌着される。また、第１及び第２の消毒液タンク２，２ａ内の上部には空気溜りａ，ａがある。
【００２１】
管保持具１３はゴム、合成樹脂等の可撓性を有する材料により円錐台形に形成されており、両端に貫通する第１及び第２の貫通孔１３ａ，１３ｂが並設されている。この管保持具１３は小径側が入出口２ｂ，２ｂに嵌着され、第１及び第２の貫通孔１３ａ，１３ｂが上下に開口する。
【００２２】
第１の消毒液タンク２の管保持具１３は、第１の貫通孔１３ａに第１吸込管４が挿通され、第２の貫通孔１３ｂに第２吸込管１４が挿通される。また、第２の消毒液タンク２ａの管保持具１３は、第１の貫通孔１３ａに第２吸込管１４の他端側が挿通され、第２の貫通孔１３ｂは大気に開放される吸気管１５が挿通される。
【００２３】
第１吸込管４及び第２吸込管１４はゴムホース、金属パイプ等からなる。第１吸込管４の一端はポンプ５の吸込口に接続され、他端は第１の消毒液タンク２内の下部に開口する。第２吸込管１４の一端は第１の消毒液タンク２内の上部の空気溜りａに開口し、他端は第２の消毒液タンク２ａ内の下部に開口する。
【００２４】
散布部７は混和ロータリ８に対して機体１の走行方向前方で、且つ機体１の左右方向に離隔して複数個配設されている。
【００２５】
また、機体１には後側の車輪１ｃ，１ｃを駆動するエンジンが搭載されており、該エンジンの出力軸にクラッチを介してポンプ５及び混和ロータリ８が連動連結されている。
【００２６】
以上のように構成された土壌消毒装置は、機体１の前部で、左右方向両側に２０リットルの原液が収容された比較的小形の市販の消毒液タンク２，２ａが搭載される。市販の消毒液タンク２，２ａは入出口２ｂに蓋体が取着され、密閉構造になっているため、前記蓋体を取外し、蓋体に替えて管保持具１３を入出口２ｂに夫々嵌着する。そして、第１の消毒液タンク２の管保持具１３の第１の貫通孔１３ａに第１吸込管４の他端側を挿通し、第２の貫通孔１３ｂに第２吸込管１４の一端側を挿通する。また、第２の消毒液タンク２ａの管保持具１３の第１の貫通孔１３ａに第２吸込管１４の他端側を挿通し、第２の貫通孔１３ｂに吸気管１５を挿通する。
【００２７】
この作業準備の後、エンジンにより車輪１ｂ，１ｂ、ポンプ５及び混和ロータリ８が駆動され、運転席１ａに搭乗した作業者が機体１を走行させつつ散布部７から消毒液を散布することにより土壌の消毒作業を行う。
【００２８】
図３は土壌消毒作業の途中の状況を示す説明図である。ポンプ５の駆動により第１の消毒液タンク２内の消毒液が第１吸込管４を経てポンプ５に吸込まれつつ第１の消毒液タンク２内の上部の空気溜りａが負圧となり、第１及び第２の消毒液タンク２，２ａの間で差圧が発生し、この差圧（負圧による吸込作用）により第２の消毒液タンク２ａ内の消毒液が第２吸込管１４を経て第１の消毒液タンク２内に流入し、経時に伴い第２の消毒液タンク２ａ内の消毒液がなくなり（図３参照）、続いて第１の消毒液タンク２内の消毒液が第１吸込管４を経てポンプ５に吸込まれ、第１の消毒液タンク２内の消毒液がなくなるまで連続して土壌消毒を行うことができる。このように途中で消毒液タンク２，２ａを交換することなく、第１及び第２の消毒液タンク２，２ａ内の消毒液がなくなるまで連続して土壌消毒を行うことができるため、連続消毒作業時間を長くすることができ、しかも、第１及び第２の消毒液タンク２，２ａ間で吸込みが途切れることなく、連続して吸込むことができるため、途中で空気がポンプ５に吸込まれるのを防ぐことができ、また、二つの消毒液タンク２，２ａ間で消毒液タンク２，２ａを交換する必要がないため、消毒液タンク２，２ａの交換時機に気配りする必要がなく、消毒作業性を向上できる。
【００２９】
また、一つの消毒液タンク内の消毒液が消費される時間、即ち、散布作業時間は散布部７から単位時間当たりに散布される散布量と、機体の走行速度とによりほぼ推察することができるため、二つの消毒液タンクの液容量以上の消毒液を連続して散布する場合、第２の消毒液タンク２ａ内の消毒液が消費される散布作業時間が経過したとき、ポンプ５に空気を吸込ませることなく第２の消毒液タンク２ａを交換することができる。このような連続散布作業を行う場合、予備の管保持具１３の第１の貫通孔１３ａに予備の第２吸込管１４の他端側が挿通され、第２の貫通孔１３ｂに予備の吸気管１５が挿通されている一つ又は複数の吸込ユニットが準備される。そして、第２の消毒液タンク２ａ内の消毒液が消費されたとき、第１の消毒液タンク２の入出口２ｂに嵌着されている管保持具１３の第２の貫通孔１３ｂから第２吸込管１４の一端側を抜き出し、第２の消毒液タンク２の入出口２ｂに嵌着されている管保持具１３とともに第２の消毒液タンク２を、未使用の消毒液タンクと交換し、該消毒液タンクの入出口２ｂに前記吸込ユニットの管保持具１３を嵌着し、該吸込ユニットの第２吸込管１４の一端側を、第１の消毒液タンク２の管保持具１３の第２の貫通孔１３ｂに挿通する。このとき、第２吸込管１４の一端は第１の消毒液タンク２内の上部の空気溜りａに開口するため、上述したようにポンプ５に空気を吸込ませることなく第２の消毒液タンク２ａを交換することができ、空気抜き作業は不必要である。また、第２の消毒液タンク２ａ内の消毒液がなくなり、第１の消毒液タンク２内の消毒液を消費し始める程度の散布作業時間で第２の消毒液タンク２ａの交換を行えば、第２の消毒液タンク２ａ内の消毒液を完全に使い切ることができ、消毒液の無駄を最小限に抑えることができる。
【００３０】
尚、以上説明した実施の形態では、第１及び第２の消毒液タンク２，２ａを備える構成としたが、その他、消毒液タンクの個数は特に制限されない。この場合、第１の消毒液タンク２を除く他の第２の消毒液タンク２ａを第２吸込管１４により連通させる。また、第２の消毒液タンク２ａの管保持具１３の第２の貫通孔１３ｂには吸気管１５を挿通保持したが、その他、この吸気管１５をなくし、第２の貫通孔１３ｂが大気に開放される構成としてもよい。
【００３１】
また、本発明に係る土壌消毒装置は作業者が搭乗して作業を行う走行型である他、作業者が歩行して作業を行う歩行型であってもよい。尚、歩行型の場合、混和ロータリ８、ゲージ輪９、ロール１０、シート押え輪１１及び土寄輪１２を備える構成であってもよい。
【００３２】
また、本発明に係る土壌消毒装置は、図１に示すように土壌表面に消毒液を散布した後混和ロータリにより消毒液を土壌に混和する混和タイプである他、土壌中に消毒液を連続的に注入する連続注入タイプ、又は、土壌中に消毒液を間歇的に注入する点注タイプであってもよく、散布形態は特に制限されない。
【００３３】
また、本発明に係る土壌消毒装置は消毒液タンク２，２ａ及びポンプ５が別個に搭載される構成である他、支持台３に消毒液タンク２，２ａ及びポンプ５が搭載され、支持台３が走行型の機体又は歩行型の機体に搭載される構成としてもよい。また、混和ロータリ８、ゲージ輪９、ロール１０、シート押え輪１１及び土寄輪１２は必ずしも必要でない。
【図面の簡単な説明】
【００３４】
【図１】本発明に係る土壌消毒装置の構成を示す概略正面図である。
【図２】本発明に係る土壌消毒装置の要部の構成を示す簡略図である。
【図３】本発明に係る土壌消毒作業の途中の状況を示す説明図である。
【符号の説明】
【００３５】
２，２ａ  消毒液タンク
２ｂ  入出口
４    第１吸込管
５    ポンプ
７    散布部
１３  管保持具
１３ａ，１３ｂ  貫通孔
１４  第２吸込管
【図１】
2007306855.tif 000003
【図２】
2007306855.tif 000004
【図３】
2007306855.tif 000005